(57)【要約】      （修正有）【課題】ボトルの膨張に起因してラベルに周方向での位置ズレが生じたとしても、ラベルに設けられた糊付け部の糊がラベルの表面に露出することを防止できる炭酸飲料用樹脂製ボトルの生産方法を提供する。【解決手段】炭酸飲料用樹脂製ボトルの生産方法は、ラベル３０の一端３１を有する内側部分６１と他端３２を有する外側部分６２とが互いに周方向で重なる重なり部６０を形成するように、ラベル３０がボトル本体１０に巻き付けられる巻付け工程と、内側部分６１の表面３７ｉと外側部分６２の裏面３８ｏとが、他端３２から所定距離Ｂだけ離れた接着部４５において糊Ａにより接着される接着工程とを含む。所定距離Ｂは、炭酸水が封入された状態でのボトル本体１０の膨張に起因する内側部分６１に対する外側部分６２の、周方向での位置ズレにより、内側部分６１の接着部４５がラベル３０の表面３７に露出しない値に設定されている。【選択図】図５
2013151309.tif 000002
【特許請求の範囲】
【請求項１】
周方向にラベルが巻き付けられた炭酸飲料用樹脂製容器の生産方法において、
周方向での前記ラベルの一端を有する部分を内側部分とし、周方向での前記ラベルの他端を有する部分を外側部分として、前記内側部分および前記外側部分が互いに周方向で重なる重なり部を形成するように、前記ラベルが前記容器に巻き付けられる巻付け工程と、
前記内側部分の表面と前記外側部分の裏面とが、前記他端から周方向に所定距離だけ離れた接着部において糊により接着される接着工程とを含み、
前記所定距離は、炭酸飲料が封入された状態での前記容器の膨張に起因する前記内側部分に対する前記外側部分の、周方向での位置ズレにより、前記内側部分の前記表面の前記接着部がラベルの表面に露出しない値に設定されていることを特徴とする炭酸飲料用樹脂製容器の生産方法。
【請求項２】
前記接着部において、前記外側部分の前記裏面の接着部は、前記糊が付けられた糊付け部であり、
前記位置ズレが生じたとき、前記糊付け部が前記内側部分の前記表面および前記容器と接着することを特徴とする請求項１記載の炭酸飲料用樹脂製容器の生産方法。
【請求項３】
請求項１または２記載の炭酸飲料用樹脂製容器の生産方法により生産された炭酸飲料用樹脂製容器。
【請求項４】
ラベルが周方向に巻き付けられた容器本体を有すると共に炭酸飲料が封入された炭酸飲料用樹脂製容器において、
前記ラベルは、前記ラベルの一端を有する部分を内側部分とし、前記ラベルの他端を有する部分を外側部分として、前記内側部分の表面および前記外側部分の裏面が互いに重なる重なり部を形成するように、前記容器本体に巻き付けられており、
前記外側部分の前記裏面は、前記他端から所定距離だけ離れた位置に、前記容器本体に前記ラベルを保持するための糊が付けられた糊付け部を有し、
前記所定距離は、前記炭酸飲料が封入された状態での前記容器本体の膨張に起因する前記内側部分に対する前記外側部分の周方向での位置ズレが生じたときに、前記位置ズレが生じる前に前記内側部分の前記表面が前記糊付け部と接着していた接着部が前記ラベルの表面に露出しない値に設定されていることを特徴とする炭酸飲料用樹脂製容器。
【発明の詳細な説明】
【技術分野】
【０００１】
本発明は、炭酸飲料が封入された炭酸飲料用容器であって、ラベルが巻き付けられた樹脂製容器および該容器の生産方法に関する。そして、炭酸飲料は、例えば炭酸水であり、容器は、例えばボトルである。
【背景技術】
【０００２】
飲料用の樹脂製容器として、例えばポリエチレンテレフタレート製（ＰＥＴ）のボトルには、商品名や内容物等の表示のために帯状のラベルが巻き付けられている。そして、ボトルのボトル本体にラベルが装着状態で保持されるように、該ラベルは、糊が塗布された糊付け部を有している（例えば、特許文献１，２参照）。
【先行技術文献】
【特許文献】
【０００３】
【特許文献１】特開２００５−２２６６２号公報
【特許文献２】特開２００７−１０８３０７号公報
【発明の概要】
【発明が解決しようとする課題】
【０００４】
ラベルが巻き付けられた樹脂製容器に炭酸飲料（例えば、炭酸水）が封入された商品（容器詰め炭酸飲料）が、例えば、ドライコンテナに収容された状態でコンテナ船により、該炭酸飲料が充填され、かつ封入される場所である生産場所から、容器に封入された炭酸飲料の温度が、充填および封入時の炭酸飲料の温度よりも高い温度に曝される高温地域（例えば、赤道または赤道付近）を通過する輸送ルートで輸送され、その後に陸揚げされて販売される場合、前記高温地域通過時にドライコンテナの内部が高温になるため、炭酸飲料の温度が上昇して、該炭酸飲料に溶解していた二酸化炭素（炭酸ガス）が放出されて、容器内の内圧が上昇する。
このように容器内の内圧の上昇により該容器が膨張すると、ラベルには、その接着位置が周方向にずれる位置ズレが発生して、糊がラベルの表面に食み出すことがあり、商品価値を低下させる原因になる。
【０００５】
本発明は、このような事情に鑑みてなされたものであり、容器の膨張に起因してラベルに周方向での位置ズレが生じたとしても、ラベルに設けられた接着部または糊付け部の糊がラベルの表面に露出することを防止することが可能な炭酸飲料用樹脂製容器および該容器の生産方法を提供することを目的とする。
【課題を解決するための手段】
【０００６】
請求項１記載の発明は、周方向にラベル（３０）が巻き付けられた炭酸飲料用樹脂製容器（１）の生産方法において、周方向での前記ラベル（３０）の一端（３１）を有する部分を内側部分（６１）とし、周方向での前記ラベル（３０）の他端（３２）を有する部分を外側部分（６２）として、前記内側部分（６１）および前記外側部分（６２）が互いに周方向で重なる重なり部（６０）を形成するように、前記ラベル（３０）が前記容器（１）に巻き付けられる巻付け工程と、前記内側部分（６１）の表面（３７ｉ）と前記外側部分（６２）の裏面（３８ｏ）とが、前記他端（３２）から周方向に所定距離（Ｂ）だけ離れた接着部（４０，４５）において糊（Ａ）により接着される接着工程とを含み、前記所定距離（Ｂ）は、炭酸飲料が封入された状態での前記容器（１）の膨張に起因する前記内側部分（６１）に対する前記外側部分（６２）の、周方向での位置ズレにより、前記内側部分（６１）の前記表面（３７ｉ）の前記接着部（４５）がラベル（３０）の表面（３７）に露出しない値に設定されている炭酸飲料用樹脂製容器（１）の生産方法である。
【０００７】
これによれば、容器に炭酸飲料が封入された状態での流通段階において、容器内の内圧の上昇により容器が膨張して、内側部分に対する外側部分の位置ズレが生じたとしても、内側部分の接着部が露出することが防止される。この結果、ラベルが巻き付けられた容器が使用された商品である容器詰め炭酸飲料の外観性が向上し、また、消費者の指に、接着部に付いている糊が付着することが防止される。
【０００８】
請求項２記載の発明は、請求項１記載の炭酸飲料用樹脂製容器（１）の生産方法において、前記接着部（４０，４５）において、前記外側部分（６２）の前記裏面（３８ｏ）の接着部（４０）は、前記糊（Ａ）が付けられた糊付け部（４０）であり、前記位置ズレが生じたとき、前記糊付け部（４０）が前記内側部分（６１）の前記表面（３７ｉ）および前記容器（１）と接着するものである。
これによれば、重なり部に位置ズレが生じたとき、外側部分が糊付け部において容器と接着するので、糊付け部と容器との接着により、容器に対するラベルの位置ズレを防止できる。
【０００９】
請求項３記載の発明は、請求項１または２記載の炭酸飲料用樹脂製容器（１）の生産方法により生産された炭酸飲料用樹脂製容器（１）である。
これによれば、請求項１または２記載の発明の効果を奏する容器が得られる。
【００１０】
請求項４記載の発明は、ラベル（３０）が周方向に巻き付けられた容器本体（１０）を有すると共に炭酸飲料が封入された炭酸飲料用樹脂製容器（１）において、前記ラベル（３０）は、前記ラベル（３０）の一端（３１）を有する部分を内側部分（５１）とし、前記ラベル（３０）の他端（３２）を有する部分を外側部分（５２）として、前記内側部分（５１）の表面（３７ｉ）および前記外側部分（５２）の裏面（３８ｏ）が互いに重なる重なり部（５０）を形成するように、前記容器本体（１０）に巻き付けられており、前記外側部分（５２）の前記裏面（３８ｏ）は、前記他端（３２）から所定距離（Ｂ）だけ離れた位置に、前記容器本体（１０）に前記ラベル（３０）を保持するための糊（Ａ）が付けられた糊付け部（４０）を有し、前記所定距離（Ｂ）は、前記炭酸飲料が封入された状態での前記容器本体（１０）の膨張に起因する前記内側部分（５１）に対する前記外側部分（５２）の周方向での位置ズレが生じたときに、前記位置ズレが生じる前に前記内側部分（５１）の前記表面（３７ｉ）が前記糊付け部（４０）と接着していた接着部（４５）が前記ラベル（３０）の表面（３７）に露出しない値に設定されている炭酸飲料用樹脂製容器（１）である。
これによれば、容器に炭酸飲料が封入された充填された状態での流通段階において、内圧により容器本体が膨張して、内側部分に対する外側部分の位置ズレが生じたとしても、内側部分に付いた糊が露出することが防止されて、ラベルが巻き付けられた容器が使用された商品の外観性が向上する。
【発明の効果】
【００１１】
本発明によれば、容器の膨張に起因してラベルに周方向での位置ズレが生じたとしても、ラベルに設けられた接着部または糊付け部の糊がラベルの表面に露出することを防止することが可能な炭酸飲料用樹脂製容器および該容器の生産方法が得られる。
【図面の簡単な説明】
【００１２】
【図１】本発明の実施形態である炭酸水が封入されたボトルの膨張後の全体図であり、一部が断面で示されている。
【図２】図１のボトルに巻き付けられる前のラベルの伸展状態での裏面図であり、その一部が示されている。
【図３】図１のＩＩＩ−ＩＩＩ線断面図である。
【図４】図３の重なり部を中心とした要部の拡大図である。
【図５】図１のボトルの生産時の重なり部を中心とした要部の図であり、図４と同様の図である。
【発明を実施するための形態】
【００１３】
以下、本発明の実施形態を、図１〜図５を参照して説明する。
図１を参照すると、本発明の実施形態に係る樹脂製容器は、炭酸飲料としての炭酸水が充填された状態で密封される炭酸飲料用の容器としてのボトル１である。ボトル１は、炭酸水を収容する容器本体としてのボトル本体１０と、ボトル本体１０に着脱可能に装着されてボトル本体１０を密封可能なキャップ２０と、ボトル本体１０に巻き付けられた状態で装着されるラベル３０とを備える。
【００１４】
ボトル本体１０は、ボトル１を載置部（例えば、棚）に載置するための底部１１と、底部１１から上方に延びている筒状であるほぼ円筒状の胴部１２と、ボトル本体１０の頂部を構成すると共にボトル本体１０に収容された炭酸水を注ぐためのほぼ円筒状の口部１４と、胴部１２と口部１４とを連ねる肩部１３とを有する。
なお、「ほぼ」との表現は、「ほぼ」との修飾語がない場合を含むと共に、「ほぼ」との修飾語がない場合とは厳密には一致しないものの、「ほぼ」との修飾語がない場合と比べて作用効果に関して有意の差異がない範囲を意味する。
【００１５】
ボトル本体１０は、樹脂としての熱可塑性樹脂、例えばポリエチレンテレフタレート（ＰＥＴ）を材料として形成される。そして、ボトル本体１０は、ボトル１に炭酸水が充填されてキャップ２０により密封された状態（すなわち、炭酸水が封入された状態）での生産直後の形状である元の形状から、ボトル１内の内圧上昇や昇温に起因する熱膨張により一旦膨張すると、該内圧や温度が低下したときに、やや収縮するものの、元の状態に比べて膨張した形状が維持され、元の形状には戻らない。
【００１６】
キャップ２０は、口部１４の外周に螺合により着脱可能に装着されると共に口部１４を密封可能であるキャップ本体２１と、口部１４の下部の外周に嵌合するほぼ円環状のバンド部２２と、キャップ本体２１とバンド部２２とを分離可能に接続するブリッジ部２３とを有する。キャップ本体２１が捩られて、ブリッジ部２３が破断することで、キャップ本体２１がバンド部２２から分離して、開栓が可能になる。
キャップ２０は、樹脂としての熱可塑性樹脂、例えばポリプロピレンまたはポリエチレンから形成されている。
【００１７】
胴部１２において上下方向での所定範囲に渡ってほぼ同一径のほぼ円筒状である装着部分１２ａ（図３参照）に巻き付けられているラベル３０は、胴部１２に巻き付けられた状態において、周方向での両端である一端３１および他端３２と、上下方向での両端である上端３３および下端３４とを有する帯状のフィルムであり、一端３１と他端３２との周方向での間に重なり部５０（図３，図４も参照）を有する。
なお、周方向は、筒状のボトル１の中心軸線Ｌを中心とするボトル１の周方向であるとし、上下方向は、底部１１が水平面上に載置されたボトル１の正規状態での方向であるとする。そして、前記正規状態で、ボトル１の中心軸線Ｌは上下方向にほぼ平行である。
【００１８】
商品名や内容物等を表示するためのラベル３０は、この実施形態では樹脂製フィルムであり、熱可塑性樹脂、例えばポリプロピレンから形成されている。そして、ラベル３０は、胴部１２に巻き付けられた状態で、膨張したボトル本体１０により内側から押し広げられるとき、糊Ａ（図２参照）の接着力に打ち勝って、一端３１および他端３２の間で周方向での位置ズレを生じさせる程度の強度を有する。
【００１９】
図２に示されるように、ラベル３０は、胴部１２に巻き付けられる前の伸展状態で、上下方向に直交する方向で対向する一端３１および他端３２が上下方向にほぼ平行な直線状の辺を構成し、上下方向で対向する上端３３および下端３４が水平方向にほぼ平行な直線状の辺を構成する矩形状の部材である。
【００２０】
図３は、膨張後（または販売時）のボトル１の胴部１２での断面図であり、図４は、図３の重なり部を中心とする拡大図である。
図２〜図４を参照すると、ラベル３０の裏面３８は、ボトル本体１０の胴部１２にラベル３０を保持するために、該ラベル３０を胴部１２に接着するための糊が付けられた一端側接着部としての一端側糊付け部３９（図２のみに示されている。）と、他端３２から周方向で少なくとも所定距離Ｂだけ離れた位置に、糊Ａが付けられた他端側糊付け部４０とを有する。なお、糊付け部に塗布される糊は、この実施形態では、糊Ａであるが、別の例として、糊Ａ以外の接着剤であってもよい。
裏面側接着部としての糊付け部４０は、上下方向での最大幅である上下幅Ｗ１と周方向での最大幅である周方向幅Ｗ２により規定される領域であり、この実施形態では、上下幅Ｗ１がラベル３０の上下幅に等しく、周方向幅Ｗ２が上下幅Ｗ１よりも小さい矩形状の領域であって、一端３１および他端３２にほぼ平行である。一方、ラベル３０の表面３７には、糊Ａを含めて接着剤は塗布されていない。
【００２１】
接着剤としての糊Ａは、温度が上昇すると熱可塑性樹脂成分が軟化することで粘着性が高まると共に接着力が低下し、温度が低下すると粘着性が低下して接着力が高まる感熱性接着剤としてのホットメルトである。糊Ａは、糊付け部４０に部分的に塗布されてもよく、また糊付け部４０の全面に塗布されてもよい。糊Ａが糊付け部４０に部分的に塗布される例として、図２に示されるように、糊Ａが上下方向に分断された形態で塗布されてもよい。
【００２２】
そして、ラベル３０は、周方向での一端３１寄りおよび他端３２寄りに、一端３１を有する一端側部分３５および他端３２を有する他端側部分３６をそれぞれ有する。他端側部分３６は、周方向で、他端３２から、糊付け部４０の全体を含む糊付け部４０までの部分である。一端側部分３５は、周方向で、一端３１から、他端側部分３６の周方向範囲に相当する部分までの部分である。すなわち、一端側部分３５は、一端３１が、糊付け部４０において周方向で他端３２とは反対側の端４０ａに一致するように一端側部分３５と他端側部分３６とが周方向で重ねられたときに、他端側部分３６と重なる部分である。
【００２３】
また、所定距離Ｂは、ボトル本体１０が膨張することに起因する、生産時内側部分６１（図５参照）に対する生産時外側部分６２（図５参照）の、周方向での位置ズレにより、該内側部分６１の表面３７での後記する接着部４５（図４，図５において、太い実線で示されている。）がラベル３０の表面３７に露出しない（または、重なり部５０から露出しない）値に設定されている。そして、この所定距離Ｂは、実験等により得られる。
【００２４】
ここで、ボトル本体１０の膨張は、炭酸水が封入された状態でのボトル１が、生産場所におけるボトル本体１０への充填および封入時の炭酸水の温度である充填時温度（例えば、１５°Ｃ〜２２°Ｃ）よりも高い温度である高温域温度（例えば、３０°Ｃ以上の温度である。）の環境（以下、「高温環境」という。）に曝されて炭酸水の温度が上昇したときに、炭酸水に溶解している二酸化炭素が炭酸水から放出されて、ボトル１内の内圧が上昇することにより生じる。
【００２５】
以下、図５を参照して、ボトル本体１０を囲んでラベル３０が装着されることにより、ラベル３０が巻き付けられたボトル１（図１参照）を生産する方法について説明する。
〈巻付け工程〉
ラベル３０がボトル本体１０の胴部１２に巻き付けられる巻付け工程において、ラベル３０が装着される前のボトル１であるラベルなし容器としてのラベルなしボトル１ａにおいて、ボトル本体１０に炭酸水が充填されて、キャップ２０がボトル本体１０を密封する状態で口部１４に装着されている。すなわち、ラベルなしボトル１ａには炭酸水が封入されている。
そして、ラベルなしボトル１ａに対して、ラベル３０は、糊付け部３９において一端側部分３５の裏面３８が胴部１２に接着された後、裏面３８が胴部１２に接触するようにして巻付けが開始され、他端側部分３６は、一端側部分３５を生産時内側部分６１として、一端側部分３５と互いに周方向で重なる生産時重なり部６０を形成するように巻き付けられる。
【００２６】
〈接着工程〉
巻付けが終了した時点で、ラベル３０は、該ラベル３０の裏面３８が胴部１２に周方向でほぼ連続して接触する状態で巻き付けられており、重なり部６０では、生産時外側部分６２を構成する他端側部分３６の裏面３８ｏの糊付け部４０が、内側部分６１の表面３７ｉにおいて糊付け部４０と接着する部分である表面側接着部４５と接着する。
【００２７】
このとき、糊付け部４０は、内側部分６１の表面３７ｉおよび胴部１２に渡って接着する。このため、胴部１２は胴体側接着部１２ｃを有している。なお、別の例として、糊付け部４０と接着部４５との接着形態は、糊付け部４０が内側部分６１の表面３７ｉのみにおいて接着し、かつ周方向で接着部４５と一端３１との間には糊付け部４０が接着しない非接着部が形成される形態、または、糊付け部４０が内側部分６１の表面３７ｉのみにおいて接着し、かつ周方向において少なくも一部で非接着部が形成されない形態であってもよい。
【００２８】
なお、図２，図４，図５を参照すると、一端側部分３５と内側部分５１，６１とは必ずしも一致せず、周方向で内側部分５１，６１が一端側部分３５よりも大きい場合、または小さい場合があり、同様に他端側部分３６と外側部分５２，６２とは必ずしも一致せず、周方向で外側部分５２，６２が他端側部分３６よりも大きい場合、または小さい場合がある。しかしながら、内側部分５１，６１および一端側部分３５が一致し、外側部分５２，６２および他端側部分３６が一致していてもよい。
【００２９】
これら巻付け工程および接着工程を経て、ラベル３０が巻き付けられた炭酸水入りボトル１の生産が完了し、ボトル１（図１参照）は、商品としてのボトル詰め炭酸水として出荷される。そして、炭酸水が封入されたボトル１は、流通段階で、例えば、コンテナ船によるドライコンテナでの海上輸送により高温地域としての赤道または赤道付近を通過して輸送されることがある。
この海上輸送では、赤道または赤道付近通過時に、ドライコンテナの内部が前記充填時温度よりも高温の高温域温度（例えば、３０°Ｃ〜６０°Ｃ）になるため、ボトル１は、前記高温環境に曝される。このとき、ボトル１に封入された炭酸水の温度上昇に起因して該炭酸水から放出された二酸化炭素により、ボトル１の内圧が上昇してボトル本体１０が膨張する。ボトル１が、例えば５００ｃｃ用ボトルである場合、ベル３０が巻き付けられている胴部１２が、直径で１ｍｍ程度膨張する。
【００３０】
このため、膨張するボトル本体１０がラベル３０を内側から拡開するように押し広げるので、ラベル３０の重なり部６０には周方向での引張り力が作用すると同時に、高温により糊Ａの粘着性が高まると共に接着力が低下して、外側部分６２が糊付け部４０と一緒に、内側部分６１に対して周方向にずれる位置ズレが発生する。この位置ズレは、前記５００ｃｃ用ボトルでは３〜４ｍｍ程度になる。
【００３１】
その後、コンテナ船が赤道または赤道付近を通過して、ドライコンテナ内の温度が低下したときは、図４に示されるように、生産時の糊付け部４０の位置が一端３１および内側部分６１対して周方向にずれた状態となり、この状態で、該ボトル１が収容されたドライコンテナが陸揚げされる。その後、ドライコンテナからパレットが取り出され、ボトル１は、該パレットに荷積みされた状態で陸上輸送等の輸送手段により倉庫などの集荷場所まで輸送される。次いで、パレットから降ろされて、陸上輸送等により、最終的に販売店まで輸送され、ボトル詰め炭酸水として販売される。
【００３２】
このとき、胴部１２に巻き付けられたラベル３０は、図４に示されるように、一端３１を有する部分としての一端側部分３５から構成される膨張後内側部分５１と、他端３２を有する部分としての他端側部分３６から構成される膨張後外側部分５２とが、その表面３７ｉおよびその裏面３８ｏが互いに重なる膨張後重なり部５０（図１も参照）を形成する。そして、糊付け部４０は、前記位置ズレの発生を予測して、接着部４５（図４も参照）がラベル３０の表面３７に露出しない位置に設けられるので、接着部４５は、ラベル３０の表面３７に露出することなく、重なり部５０内に位置する。
それゆえ、膨張後内側部分５１は生産時内側部分６１の一部であり、同様に、膨張後外側部分５２は生産時外側部分６２の一部である。また、膨張後重なり部５０は生産時重なり部６０の一部である。
【００３３】
また、前記位置ズレが生じるとき、粘着性が高まることから、一部の糊Ａが残留糊Ａ１として生産時接着部である接着部４５に点在する状態で残る。そして、残留糊Ａ１は、位置ズレが生じた後に外側部分５２の裏面３８ｏと接着するので、その分、残留糊Ａ１がない場合に比べて、重なり部５０での接着力が高まり、胴部１２からのラベルの剥がれが防止される。
【００３４】
次に、前述のように構成された実施形態の作用および効果について説明する。
ラベル３０が巻き付けられた炭酸水用樹脂製ボトル１の生産方法において、図５に示されるように、周方向でのラベル３０の一端３１を有する生産時内側部分６１と他端３２を有する生産時外側部分６２とが互いに周方向で重なる重なり部６０を形成するように、ラベル３０がボトル本体１０に巻き付けられる巻付け工程と、内側部分６１の表面３７ｉと外側部分６２の裏面３８ｏとが、他端３２から周方向に所定距離Ｂだけ離れた接着部４５において糊Ａにより接着される接着工程とを含み、所定距離Ｂは、炭酸水が封入された状態でのボトル本体１０の膨張に起因する内側部分６１に対する外側部分６２の、周方向での位置ズレにより、内側部分６１の表面３７ｉの接着部４５がラベル３０の表面３７に露出しない値に設定されている。
【００３５】
これにより、ボトル１に炭酸水が封入された状態で、赤道または赤道付近を通過する海上輸送による流通段階において、ボトル１が高温環境に曝される高温地域である赤道または赤道付近を通過する際に、温度が上昇した炭酸水からの二酸化炭素の放出に起因する内圧上昇によりボトル本体１０が膨張して、内側部分６１に対する外側部分６２（図５参照）の位置ズレが生じたとしても、図４に示される重なり部５０のように、内側部分５１における接着部４５が、外側部分５２に覆われて、外側部分５２から露出すること、したがってラベル３０の表面３７に露出することが防止される。この結果、ラベル３０が巻き付けられたボトル１が使用された商品であるボトル詰め飲料の外観性が向上し、消費者の指に、接着部４５に付いている糊Ａが付着することが防止される。
【００３６】
重なり部６０において内側部分６１に対する外側部分６２の位置ズレが生じたとき、糊付け部４０が内側部分６１の表面３７ｉおよびボトル本体１０と接着する。この構成により、外側部分６２が糊付け部４０において容器と接着するので、糊付け部４０により、ボトル本体１０に対するラベル３０の位置ズレを防止できる。
【００３７】
図４に示されるように、接着部４５には、残留糊Ａ１が付着していることにより、重なり部５０において接着部４５が外側部分５１の裏面３８ｏに接着するので、ラベル３０の保持性が向上する。また、流通段階で、ボトル１は、作業者の手によりカートンから取り出されて扱われるが、その際に、他端３２近傍まで残留糊Ａ１で接着しているので、他端３２側からのラベル３０の剥がれ防止効果が高まる。
【００３８】
以下、前述した実施形態の一部の構成を変更した実施形態について、変更した構成に関して説明する。
生産時外側部分６２の裏面３８ｏの糊付け部４０の代わりに、生産時内側部分６１の表面３７ｉが糊付け部を有しており、生産時外側部分６２の裏面３８ｏが、該糊付け部が接着する裏面側接着部を有していてもよい。この場合、この裏面側接着部には、糊Ａおよび糊Ａ以外の接着剤は付けられていない。また、生産時外側部分６２の裏面３８ｏの糊付け部４０のほかに、生産時内側部分６１の表面３７ｉが表面側接着部としての糊付け部を有していてもよい。そして、これらいずれの場合にも、生産時重なり部６０において、糊付け部は、他端３２から少なくとも所定距離Ｂだけ離れた位置に形成されている。
ラベル３０は、炭酸水が封入されているラベルなしボトル１ａに巻き付けられたが、ボトル本体１０にキャップ２０が装着されず炭酸水が充填されていないラベルなしボトルに巻き付けられてもよい。この場合、ラベル３０が巻き付けられたボトル本体に炭酸水が充填され、その後、ボトル本体にキャップ２０が装着される。
伸展状態でのラベル３０の形状は、矩形以外の形状であってもよく、例えば上端３３または下端３４が湾曲または上下方向に傾斜していてもよく、一端３１または他端３２も湾曲または水平方向に傾斜していてもよい。したがって、所定距離Ｂは、上下方向において異なる値であってもよい。
糊付け部３９は、胴部１２に設けられてもよい。
胴部１２は、ほぼ円筒状以外の筒状、例えば多角筒状であってもよい。
巻付けには、重なり部６０が形成されるように巻かれた状態のラベル３０が胴部１２に挿入されることも含まれる。
生産場所で炭酸水が封入されたボトル１は、該ボトル１が前記高温環境に曝されることを条件として、海上輸送以外の手段で輸送されてもよい。また、ボトル１が前記高温環境に曝される高温地域は、赤道または赤道付近以外の地域であってもよい。
炭酸飲料は、炭酸水以外のものであってもよい。
【符号の説明】
【００３９】
１      ボトル（容器）
１０    ボトル本体（容器本体）
３０    ラベル
３１    一端
３２    他端
３７    表面
３８    裏面
４０    糊付け部
４５    表面側接着部
５０，６０  重なり部、
５１，６１  内側部分
５２，６２  外側部分
Ａ      糊
Ｂ      所定距離
【図１】
2013151309.tif 000003
【図２】
2013151309.tif 000004
【図３】
2013151309.tif 000005
【図４】
2013151309.tif 000006
【図５】
2013151309.tif 000007